(57)【要約】【課題】固定具のために見栄えが損なわれることがなく意匠性に優れたものとすることができ、また、安全性、フロアカーペット上への取付け、取外しの操作性に優れた自動車用フロアマットを提供する。【解決手段】フロアマットは、フロアマット本体１０と、それに固定されたネームを有している。ネームは、フロアマットの意匠の一部を構成するネーム表示部３を備えるネーム本体１と、フロアマットの、フロアカーペット上への固定手段を構成するネームベース２０によって、フロアマット本体１０を挟持するようにして、フロアマット本体１０に固定されている。【選択図】図１
2005162088.tif 000002
【特許請求の範囲】
【請求項１】
自動車室内の床面上の、乗員の足元の所定の位置に固定して載置される自動車用フロアマットにおいて、
フロアマット本体と、該フロアマット本体に固定された装飾プレートを有し、
前記装飾プレートは、前記フロアマット本体の上面上に露出する装飾部と、下面側に配置された、前記自動車側への固定手段とを有する自動車用フロアマット。
【請求項２】
前記装飾部は、文字情報を表示するネーム表示部であり、前記装飾プレートは、該ネーム表示部を備えるネームである、請求項１に記載の自動車用フロアマット。
【請求項３】
前記ネームは、前記ネーム表示部を備えるネーム本体と、前記フロアマット本体の下面側に配置され、前記自動車側への前記固定手段を構成するベースプレートとを有し、
前記ネーム本体は、下面から下方に突出する突起を有し、該突起は、前記フロアマット本体に形成された貫通孔を通って前記フロアマット本体の下面から突出し、該突起の、前記フロアマット本体の下面から突出した部分が前記ベースプレートに結合されている、請求項２に記載の自動車用フロアマット。
【請求項４】
前記ネーム本体は、前記フロアマット本体上に配置されるネームベースと、該ネームベースの上面を覆うように閉じた状態と該ネームベースの上面を露出させるように開いた状態とに開閉可能なネームプレートとを有し、
前記フロアマット本体と前記ネームベースには、前記ベースプレートの、前記自動車側への前記固定手段を構成する部分を露出させる貫通孔が形成されている、請求項２または３に記載の自動車用フロアマット。
【請求項５】
前記ネームベースの下面には、該ネームベースの、前記自動車側への固定手段を構成する部分を露出させる前記貫通孔の縁に沿って延び、下方に突き出た中空脚部が形成され、該中空脚部は、前記ネームベースの、前記自動車側への固定手段を構成する部分を露出させる前記貫通孔に嵌め込まれている、請求項４に記載の自動車用フロアマット。
【請求項６】
前記ネームは、前記ネーム表示部を備えるネームプレートと、前記自動車側への前記固定手段を構成するネームベースとを有し、
前記ネームプレートと前記ネームベースは、前記フロアマット本体に形成された切欠部を通って、それぞれの一縁で、該一縁の周りに互いに揺動可能に連結され、前記ネームプレートと前記ネームベースが重なり合うように閉じる方向に付勢されて、前記フロアマット本体を挟持している、請求項２に記載の自動車用フロアマット。
【請求項７】
前記ネームベースの上面に、上方に向かって延びる突起部が形成され、該突起部は、前記フロアマット本体の、該突起部に対応する位置に形成された孔に嵌め込まれている、請求項６に記載の自動車用フロアマット。
【請求項８】
前記自動車側への固定手段は、前記自動車側に形成された係合孔に係合する係合ピンによって構成されている、請求項１から７のいずれか１項に記載の自動車用フロアマット。
【請求項９】
前記装飾プレートは、上方に延びる係合突起を有する、前記自動車側に固定された取付け具に固定されており、前記自動車側への前記固定手段は、前記取付け具の前記係合突起に係合する係止部によって構成されている、請求項１から７のいずれか１項に記載の自動車用フロアマット。
【請求項１０】
前記係合突起と前記係止部は、所定の間隔をおいて２つ設けられている、請求項９に記載の自動車用フロアマット。
【請求項１１】
前記自動車側への固定手段は、前記自動車のフロアパネルに上方に延びるように設けられたスタッドボルトに係合する係止部によって構成されている、請求項１から７のいずれか１項に記載の自動車用フロアマット。
【発明の詳細な説明】
【技術分野】
【０００１】
本発明は、自動車のフロアカーペット上の、乗員の足元に敷かれる自動車用フロアマットに関する。
【背景技術】
【０００２】
自動車の車室内においては、フロアカーペットに加えて、フロアカーペットの汚れを防止したり、車室内の意匠性を高めたりする目的で乗員の足元床面に敷設されるフロアマットが従来から用いられている。フロアマットは、位置がずれて乗員の足元が不安定になったり、フロアマットが邪魔になったりしないように、フロアカーペット上に固定可能とされ、また、適宜清掃できるように取外し可能とされるのが普通である。また、フロアカーペットを容易に取外して交換可能とすることによって、乗員が、様々な意匠のフロアカーペットを嗜好に応じて適宜選択して利用することが可能となる。
【０００３】
このようなフロアマットをフロアカーペット上に固定する方法としては、係合ピンが表裏面に設けられた取付け具を用い、この取付け具の各係合ピンをフロアマットとフロアカーペットにそれぞれ設けられた係合孔（はとめ等）に係合させることによって固定する方法や、床面のフロアカーペットに固定された係止ピンにフロアマットに設けた係止孔（はとめ等）を係止することによって位置決め固定する方法等が知られている。
【０００４】
代表的な例が特許文献１に開示されている。同文献に記載された構成では、図１０に示されているように、フロアマット８５とフロアカーペット８７の間に設けられた取付け具８０が用いられている。取付け具８０には、その板状の本体の下面にフロアカーペット用係合具８２ａ，８２ｂが突設され、板状本体の上面にフロアマット用係合部８１が突設されている。フロアマット８５は、その所定の位置に形成されたはとめ８６に取付け具８０のフロアマット用係合具８１が係合され、取付け具８０のフロアカーペット用係合部８２ａ，８２ｂがフロアカーペット８７の、所定の位置に形成された係合孔８８に係合されることによって、フロアカーペット８７上の所定の位置に固定されている。
【０００５】
また、フロアマットにはとめを形成し、これに係合ピンを係合させてフロアマットを固定する構成は、例えば特許文献２などにも開示されている。
【特許文献１】特許第２８０８９０３号明細書
【特許文献２】特開２００３―８０９９１（特願２００１―２７７２１６）号公報
【発明の開示】
【発明が解決しようとする課題】
【０００６】
上記の特許文献１，２に記載されたような従来技術では、フロアマットを固定するために、フロアマットにははとめが形成されており、また、フロアマットを取付けた状態で、このはとめから係合ピンが突出した状態となるため、これらがフロアマットの意匠性の低下を招いてしまう。また、係合ピンやはとめは、このようにフロアマットの見栄えを損なってしまうため、必然的にフロアマット上で比較的、視界に入りにくく、目立たない、シートの直下に近い位置や、シートから遠い位置に配置される。このため、フロアマットの取付け、取外しの作業性が悪いという課題がある。また、フロアマットを係合するための係合ピンがフロアマット上に突設した状態となるため、乗員が係合ピンを踏んでしまうことによって係合ピンが破損したり、靴を傷めたりというように、安全性の面でも課題がある。
【０００７】
本発明は、上記のような従来技術における課題を解決しようとするものであり、本発明の目的は、固定具のために見栄えが損なわれることがなく、意匠性に優れたものとすることができ、また、安全性、フロアカーペット上への取付け、取外しの操作性に優れた自動車用フロアマットを提供することにある。
【課題を解決するための手段】
【０００８】
上述の目的を達成するため、本発明の自動車用フロアマットは、自動車室内の床面上の、乗員の足元の所定の位置に固定して載置される自動車用フロアマットにおいて、フロアマット本体と、フロアマット本体に固定された装飾プレートを有し、装飾プレートは、フロアマット本体の上面上に露出する装飾部と、下面側に配置された、自動車側への固定手段とを有することを特徴とする。
【０００９】
この構成によれば、フロアマットの、自動車側への固定手段は、装飾プレートの下面側に位置し、フロアマット本体の上面側に露出することはない。したがって、固定手段がフロアマットの見栄えを損なったり、乗員の脚下にぶつかったりすることはない。また、装飾プレートは、フロアマットの意匠の一部を構成するものであり、目立たない位置に配置する必要はないので、ネームによって構成される固定手段は、フロアマットの比較的中央寄りの位置に配置することができる。
【００１０】
本発明において、フロアマットの意匠の一部を構成する働きをし、さらに、固定手段として利用する装飾プレートとしては、社名等の文字情報を表示するネーム表示部を備えるネームを用いることができる。すなわち、従来より、自動車用フロアマットには、社名等を刻印したネームがしばしば設置されており、これを、本発明における装飾プレートの働きをするものとして、好適に利用することができる。
【００１１】
ネームは、より具体的には、ネーム表示部を備えるネーム本体と、フロアマット本体の下面側に配置され、自動車側への固定手段を構成するベースプレートとを有し、ネーム本体は、下面から下方に突出する突起を有し、該突起は、フロアマット本体に形成された貫通孔を通ってフロアマット本体の下面から突出し、該突起の、フロアマット本体の下面から突出した部分がベースプレートに結合されている構成とすることができる。すなわち、この構成では、ネームは、ネーム本体とネームベースによってフロアマット本体を挟持して、フロアマット本体に対して固定され、このネームを、ネームベースに設けられた固定手段によって自動車側に固定することによって、フロアマット本体を含むフロアマット全体が自動車の床面上に固定される。
【００１２】
この構成では、ネーム本体は、フロアマット本体上に配置されるネームベースと、該ネームベースの上面を覆うように閉じた状態と、ネームベースの上面を露出させるように開いた状態とに開閉可能なネームプレートとを有する構成とし、フロアマット本体とネームベースには、ベースプレートの、自動車側への固定手段を構成する部分を露出させる貫通孔を形成した構成とするのが好ましい。それによって、取外し操作を行う時には、ネームプレートを開いて、フロアマットの、自動車側への固定手段にアクセスできるようにし、取付け、取外しの操作性をさらに改善することができる。一方、通常は、ネームプレートを閉じた状態にしておくことによって、フロアマットの見栄えを良好に保つことができる。
【００１３】
さらに、ネームベースの下面に、ネームベースの、自動車側への固定手段を構成する部分を露出させる貫通孔の縁に沿って延び、下方に突き出た中空脚部を形成し、この中空脚部を、ネームベースの、自動車側への固定手段を構成する部分を露出させる貫通孔に嵌め込む構成としてもよい。これによれば、中空脚部と貫通孔の嵌め合いによって、フロアマット本体の水平方向へのずれを防ぎ、フロアマットをより安定して固定することができる。
【００１４】
本発明のフロアマットの他の実施態様として、ネームは、ネーム表示部を備えるネームプレートと、自動車側への固定手段を構成するネームベースとを有し、ネームプレートとネームベースは、フロアマット本体に形成された切欠部を通って、それぞれの一縁で、該一縁の周りに互いに揺動可能に連結され、ネームプレートとネームベースが重なり合うように閉じる方向に付勢されて、フロアマット本体を挟持する構成としてもよい。すなわち、この場合、フロアマット本体は、ネームプレートとネームベースによって挟持されて固定される。
【００１５】
さらに、この場合、ネームベースの上面に、上方に向かって延びる突起部を形成し、この突起部を、フロアマット本体の、該突起部に対応する位置に形成された孔に嵌め込んだ構成としてもよい。これによれば、突起部と孔との嵌め合いによって、フロアマット本体の水平方向のずれを防ぎ、フロアマットをより安定して固定することができる。
【００１６】
本発明の自動車用フロアマットにおいて、自動車側への固定手段は、具体的には、自動車側に形成された係合孔に係合する係合ピンによって構成することができる。あるいは、装飾プレートを、上方に延びる係合突起を有する、自動車側に固定された取付け具に固定する構成とし、自動車側への固定手段は、取付け具の係合突起に係合する係止部によって構成してもよい。この際、係合突起と係止部は、所定の間隔をおいて２つ設ければ、装飾プレートを、したがって、それが固定されたフロアマットを回転方向にも動かないように固定でき、好ましい。またあるいは、自動車側への固定手段は、自動車のフロアパネルに上方に延びるように設けられたスタッドボルトに係合する係止部によって構成してもよい。
【発明の効果】
【００１７】
本発明のフロアマットは、上述のように構成することによって、はとめ等の、フロアマットの、自動車側への固定手段を構成する部分が露出しないので見栄えが改善されるとともに、フロアマット上にはとめ等に係止するための突起物が存在しないので安全性の面でも優れている。また、本発明において固定手段として利用するネームは、フロアマット上の任意の場所に設置可能であるから、ネームを適切な位置に配置することによって、そのネームによって構成される固定手段を、容易に取付け、取外しを行うことができる位置に配置することができ、それによって、取付け、取外しの操作性を改善することができる。
【００１８】
このように本発明によれば、フロアマットの意匠性および取付け、取外しの操作性を、従来のものに比べて著しく改善することができる。
【発明を実施するための最良の形態】
【００１９】
以下、図面を参照して本発明の好適な実施の形態について説明する。
（第１の実施形態）
最初に、図１〜３を参照して、本発明の第１の実施形態について説明する。
【００２０】
図１は、本実施形態におけるフロアマットの、不図示のフロアカーペット上への固定部の分解斜視図である。同図から分かるように、本実施形態のフロアマットは、フロアマット本体１０が、ネームを構成するネーム本体１とベースプレート２０によって挟持され、フロアカーペット上に固定された取付け具３０にベースプレート２０を介して係合可能であり、それによって、フロアカーペット上に取外し可能に固定される構成になっている。図２，３は、それぞれネーム本体１、ベースプレート２０の構造を示す平面図および側面図である。
【００２１】
フロアマット本体１０は、自動車のフロア部において、乗員の脚下に敷設されるものであり、乗員の脚の可動範囲をカバーする大きさを有している。フロアマット本体１０の下面には、ずれ防止のための凹凸模様（不図示）が形成され、フロアマット本体１０の外周は、オーバーロック加工等の縁取り加工により縁取り補強加工されている。フロアマット本体１０は全体として柔軟で、フロアカーペット上に沿って敷設することができる。
【００２２】
このようなフロアマット本体１０としては、乗員に面する意匠面に繊維立毛を組織し、裏面側にはゴムや樹脂の裏打ちを施して水の透過を防止した構造のものが特に適している。また、フロアマット本体１０は、他の適した構成として、全体を非透水性の樹脂で形成した樹脂マットであってもよい。
【００２３】
ネーム本体１は硬質樹脂を型成型し、あるいは金属をプレス加工して作製することができる。ネーム本体１は、全体として長尺の板状の形状を有し、その一面に、フロアマット本体１０を敷設する車の車種名や車両メーカー名などが印刷や刻印によって表示されたネーム表示部３が設けられている。ネーム本体１は、このネーム表示部３がフロアマット本体１０の上面に沿って位置するようにフロアマット本体１０に取付けられ、フロアマット本体１０のデザイン性を高め、また当該フロアマット本体１０の適合車種等を明確化する働きをする。この様な働きをするネームは、従来よりフロアカーペットに取付けられることが知られているが、本実施形態におけるネームは、さらに、フロアマット本体１０の固定手段としての働きをする点で、従来のものとは異なっている。
【００２４】
本実施形態では、ネーム本体１は、概して同じ輪郭を有する薄板状のネームプレート１ａと、ネームベース１ｂを有し、両者は、それぞれの一縁をヒンジで連結され、両者を重ねて閉じた状態と、開いた状態とにすることができるようになっている。ネームプレート１ａとネームベース１ｂの、ヒンジで連結されたのとは反対側の縁には、弾性変形を利用して互いに係合する、突出した係止部４と係止溝８がそれぞれ設けられており、これらを係合することによって、ネーム本体１は閉じた状態に保持可能である。前述のネーム表示部３は、このようにネーム本体１を閉じた状態で外側に面する、ネームプレート１ａの一面に配置されている。
【００２５】
係止部４と係止溝８は、容易に係合を外すことができる構造になっており、ユーザでも容易にネーム本体１を開閉することができる。このように、ネーム本体１を容易に開閉可能で、かつ閉じた状態に保持できる機構としては、図に示す例以外に、例えば磁石等を用いた機構を用いることができる。
【００２６】
ネームベース１ｂの下面には、その両端に近い位置に円筒状突起６が、また中央部には中空脚部７が下方に突出して形成されている。円筒状突起６の内面には、ねじ溝が形成されている。中空脚部７は直方体形の外形を有しており、内部は中空で、この中空部は上面から下面に貫通する貫通孔を形成している。
【００２７】
ネームプレート１ａの下面には、ネーム本体１をこのように閉じた状態にした時に、ネームベース１ｂの中空脚部７の中空部内に突出する突起部５を形成するのが好ましい。図に示す例では、突起部５は、中空脚部７の中空部の幅と実質的に同じ幅を有する偏平な矩形の形状を有しており、ネーム本体１を閉じた状態で、突起部５が中空脚部７内に嵌って、その内面に当接することによって、ネームプレート１ａとネームベース１ｂの位置が互いにずれるのを抑える働きをする。
【００２８】
このようなネーム本体１が取付けられるフロアマット本体１０の上面には、ネーム本体１の平面外形に概ね沿う形状の窪溝部１１を形成するのが好ましい。窪溝部１１はフロアマット本体１０がその表面、すなわち、意匠面に繊維立毛を組織したものである場合、その繊維立毛部を、超音波ツブシ等の方法によって切り欠いて形成することができる。窪溝部１１の深さは、ネームベース１ｂと概ね同じ厚さか、あるいは、閉じた状態のネーム本体１の厚さと概ね同じ厚さとするのが好ましい。このような構成とすることによって、ネーム本体１を取付けた状態で、フロアマット本体１０の上面と、ネーム本体１の、ネーム表示部３の上面とが、大きな段差を生じることなくスムースに接続するようにして、意匠性を良好なものとすることができる。
【００２９】
さらに、フロアマット本体１０の窪溝１１内には、ネーム本体１の円筒状突起６、中空脚部７にそれぞれ対応する位置に、これらにそれぞれ対応する形状の円形孔１２と挿通孔１３が、下面に達する貫通孔として形成されている。円筒状突起６と中空脚部７は、これらの円形孔１２と挿通孔１３を通って延び、円筒状突起６はフロアマット本体１０の下面から突出している。この際、挿通孔１３の、中空脚部７の外形に相応する形状の内面と、中空脚部７の外面とが当接することによって、フロアマット本体１０は、より確実に、ネーム本体１に対して水平方向にずれないように固定される。
【００３０】
中空脚部７および挿通孔１３の外形は四角形以外にも円形や楕円形等とすることも可能である。また、円筒状突起６の外形についても、円形に限られることはなく、楕円形や多角形等とすることも可能である。
【００３１】
ベースプレート２０は、ネーム本体１と同様に、硬質樹脂の型成型、または、金属のプレス加工によって作製することができる。ベースプレート２０には、ネーム本体１の円筒状突起６に対応する位置にかしめ孔２１が形成されており、ベースプレート２０は、フロアマット本体１０の円形孔１２を貫通して延びる円筒状突起６をかしめ孔２１内に通し、円筒状突起６の中空部内にねじ４１をねじ込んでかしめることによって取付けられている。このようにして、フロアマット本体１０は、ネーム本体１とベースプレート２０によって挟持されている。
【００３２】
また、ベースプレート２０の中央付近には、概して矩形の係合孔２２と、これに隣接する概して円形の係合溝（係止部）２３が形成されており、両者は、係合溝２３の径より狭くなった部分を有する連絡部を介してつながっている。これら係合孔２２と係合溝２３は、ネーム本体１の中空脚部７の内壁より内側の平面領域内に位置しており、したがって、ネーム本体１を開いた時に、中空脚部７の中空部を介して上方からアクセス可能になっている。
【００３３】
一方、フロアカーペット側に固定される取付け具３０は、図１に示す例では、薄板状のベース部３３を有している。ベース部３３の一方の面には、フロアカーペット側と係合する係合ピン３１が、他方の面には、フロアマット本体１０側と係合する係合部（係合突起）３２が、それぞれベース部３３から突出してベース部３３と一体に形成されている。
【００３４】
係合ピン３１は、弾性を有する部材によって構成された、互いに対向した２つの部分からなり、これら２つの部分の先端部には、外側に突き出た部分が形成された構造になっている。係合ピン３１は、フロアカーペットに設けたはとめ等の固定孔内に、係合ピン３１の２つの部分を一旦内側に撓ませて挿通すると、係合ピン３１の２つの部分が弾性力によって元の位置に戻って、先端の外側に突出した部分が固定孔の縁に係止されるようになっている。このようにして、係合ピン３１はフロアカーペットに固定されている。また、係合ピン３１は、自動車のフロアパネルに形成された孔に固定する構成としてもよい。
【００３５】
係合部３２は、ベースプレート２０の係合溝２３に嵌る平面形状の部分を有しており、その先端に、係合溝２３の径より大きい平面形状を有する部分がつながった構造になっている。係合部３２は、一旦、ベースプレート２０の係合孔２２内に位置させ、その後、係合孔２２と係合溝２３の間の連絡部を通過させて係合溝２３内に移動させることによって、ベースプレート２０に係合される。
【００３６】
以上説明した本実施形態のフロアマットは、ネームを利用してフロアカーペット上の所定の位置に固定可能である。このため、固定具がフロアマット本体１０上に露出することはなく、したがって、フロアマットの見栄えが、露出した固定具のために悪くなるのを回避して、フロアマットの意匠性を改善することができる。また、固定具を構成するピンなどがフロアマット本体１０上に突出することもないので、突出したピンが踏まれて破損したり、ピンによって靴を傷めたりといった安全上の問題を生じることもない。
【００３７】
また、ネームは、車種名などを表示するものであり、乗員などの視界に入っても、フロアマットの意匠性を損なうことはなく、むしろ、フロアマットの、好ましい意匠を構成する一要素である。したがって、ネームによって構成される、フロアマットの固定手段は、従来技術における固定具のように、シートの直下やシートから遠い位置に配置する必要はなく、フロアマットの、比較的中央寄りの位置に配置することができる。これによって、フロアマットの取付け、取外しの操作性を改善することができる。
【００３８】
さらに、本実施形態の構成では、ネーム本体１は、ネームプレート１ａをその係止部４を外して容易に開いた状態にすることができる。この状態では、中空脚部７の中空部を介して、係合孔２２、係合溝２３、および、フロアマットを載せるフロアカーペットに取付けられた取付け具３０を目視することができる。したがって、フロアマットの取付け、取外し時には、このようにして、係合溝２３と取付け具３０を確認しながら、係合溝２３を取付け具３０の係合部３２に係合させ、または係合を解除する操作を実施することができ、それによって、取付け、取外しの操作性をさらに改善することができる。
【００３９】
なお、本実施形態は、本発明を例示するものであり、本発明の範囲内で種々の変形が可能である。例えば、本実施形態では、ネーム本体１に連結されたベースプレート２０を自動車側に取り付けられる取付け具３０に係合させてネームを固定する構成を示したが、これに限られることはない。
【００４０】
このような変形例の１つとして、ベースプレート２０と取付け具３０の代わりに、図４に示すような取付け具４５を用いてもよい。この取付け具４５は、細長い矩形のベース部４６の長手方向の両端部付近に上方に向かって突出する係合突起４６ａ，４６ｂを有している。ベース部４６は、連結部４７を介して固定部４８に連結している。固定部４８は、例えば、シートの取付け部や、車体のクロスメンバーに、ビスなどを固定孔４９に通して固定される。そして、係合突起４６ａ，４６ｂを、ネーム本体１の円筒状突起６内に係合させることによって、ネーム本体１を、したがってフロアマット本体１０を固定することができる。この変形例では、２つの係合突起４６ａ，４６ｂによってネーム本体１が固定されるため、ネーム本体１およびフロアマット１０を回転方向にも動かないように固定することができる。
【００４１】
また、この変形例では、係合突起４６ａ，４６ｂの上端を、断面形状が大きくなるように形成し、円筒状突起６内の孔もそれに合った形状にして、容易に係合が外れないようにしてもよい。また、係合突起４６ａ，４６ｂを、係合ピン３１のように、弾性変形を利用して係合させる構成としてもよい。いずれにしても、係合突起４６ａ，４６ｂの先端がネームベース１ｂの上面に突出するようにすれば、ネームプレート１ａを開いて、係合させたり係合を外したりする操作を容易に実施可能とすることができる。また、円筒状突起６を設けず、孔のみとし、係合突起４６ａ，４６ｂの外周面がフロアマット１０の円形孔１２の内面に接する構成としてもよい。また、この変形例の場合、中空脚部７および挿通孔１３は設けなくてもよいが、これらを設けることによって、前述のように、ネーム本体１をフロアマット本体１０により安定して固定する作用が得られる。
（第２の実施形態）
以下、本発明の第２の実施形態について図５〜７を参照して説明する。
【００４２】
図５は、本実施形態のフロアマットに取付けられ、フロアマットをフロアカーペット７０上に固定するのに用いられるネーム５０の斜視図であり、図５（ａ）はネーム５０とフロアカーペット７０の係合部、図５（ｂ）はネーム５０とフロアマット本体６０の係合部を模式的に示している。図６は、ネーム１がフロアマット本体６０およびフロアカーペット７０に固定された状態を示す断面図、図７はネームベース５２の構造を示す平面図および側面図である。なお、図５では、ネーム５０の構成を分かりやすくするために、ネーム５０のみを比較的大きく記載している。
【００４３】
本実施形態では、ネーム５０は、それぞれの一縁で互いに揺動可能に連結されたネームプレート５１とネームベース５２との２枚のプレートを有している。このように連結するために、図５（ｂ）から分かるように、ネームプレート５１には、その一縁の両端寄りの２箇所に、下方に向かって突出して形成され、この縁に沿って延びる貫通孔が形成されたシャフト取付け部５１ａ，５１ｂが設けられ、一方、ネームベース５２には、その一縁の中央付近に、上方に向かって突出してシャフト取付け部５２ａが形成されており、これらの各シャフト取付け部５１ａ，５１ｂ，５２ａの貫通孔にシャフトが通されている。この際、ネームベース５２のシャフト取付け部５２ａは、それが設けられた一縁に沿って延びる、上方に突出した矩形の棒状の突出部上に形成されており、これら突出部とシャフト取付け部５１ａ，５１ｂ，５２ａのために、ネームプレート５１とネームベース５２の間には、フロアマット本体６０の、窪溝部６２が形成された部分の厚みに相応する所定の距離が確保されている。
【００４４】
また、ネームベース５２の中央のシャフト取付け部５２ａと、ネームプレート５１の両端寄りの２箇所のシャフト取付け部５１ａ，５１ｂのそれぞれとの間には、所定の隙間があり、この隙間にばね５４が取付けられている。このばね５４によって、ネームプレート５１は、図５（ｂ）に矢印で示すように、ネームベース５２に重なって閉じる方向に付勢されている。
【００４５】
ネームベース５３の上面には、図に示す例では円柱状の支持柱５３が上方に突出して形成されている。ネームプレート５１は、ばね５４の付勢力によって、この支持柱５３の上面に当接した状態で、ネームベース５２に対して概して平行に保持されている。
【００４６】
図示していないが、ネームプレート５１の上面には、第１の実施形態と同様に、車種名などが刻印され、または印刷されたネーム表示部が形成されている。ネーム５０は、このネーム表示部がフロアマット本体６０の上面上に位置して、フロアマットの意匠の一部を構成する働きをする。
【００４７】
図５（ａ）に示すように、ネームベース５２の下面には、その両端部付近に係合ピン５５が設けられている。フロアカーペット７０には、フロアマットの固定用のはとめ（係合孔）７１が形成されており、ネームベース５２は、係合ピン５５をはとめ７１に係合させることによって、フロアカーペット７０上に固定されている。各係合ピン５５は、弾性を有する部材によって構成され、互いに対向した２つの部分からなり、これら２つの部分の先端部には、外側に突き出た部分が形成された構造になっている。これらの係合ピン５５は、はとめ７１に挿入すると、２つの部分が一旦内側に弾性変形し、完全に挿通すると復元して、フロアカーペット７０のはとめ７１の縁に引っ掛かって係止される。
【００４８】
一方、図５（ｂ）に示すように、フロアマット本体６０の上面には、ネーム５０に相応する大きさの窪溝部６２が形成されている。この窪溝部６２は、フロアマット本体６０がその表面、すなわち、意匠面に繊維立毛を組織したものの場合、その繊維立毛部を、超音波ツブシ等の方法によって切り欠いて形成することができる。窪溝部６２の深さは、ネームプレート５１の厚さとほぼ同じ厚さであるのが好ましい。このようにすれば、後述するように、ネーム５０によってフロアマット本体６０を挟み込むように支持した状態で、フロアマット本体６０の上面とネーム５０のネーム表示部がスムースに接続するようにして、フロアマットの意匠性を良好なものとすることができる。
【００４９】
窪溝部６２の一縁付近には、この一縁に沿って延びる切欠部６３が貫通孔として形成され、また、ネームベース５２の支持柱５３に対応する位置に、係止孔６４が貫通孔として形成されている。切欠部６３は、ネームプレート５１を挿通し、ネームベース５２の一縁に形成たれた前述のシャフト取付け部５２ａおよび突出部を挿入することができる大きさになっており、一方、係止孔６４は、ネームベース５２の支持柱５３を挿通することができる大きさになっている。
【００５０】
ネーム５０は、図６に示すように、ネームプレート５１とネームベース５２の連結部を切欠部６３内に位置させ、支持柱５３を係止孔６４内に挿通して、ネームプレート５１をばね５４の付勢力によって閉じた状態とすることによって、フロアマット本体６０をネームプレート５１とネームベース５２の間に挟持するようにしてフロアマット本体６０に固定されている。このようにネーム５０をフロアマット本体６０に取付けた状態で、ネーム１の各部が、フロアマット本体６０の切欠部６３と係止孔６４に挿通されることによって、フロアマット本体６０の、ネーム５０に対する水平方向のずれが確実に防止されている。
【００５１】
本実施形態の構成では、フロアマットの交換時には、ネーム５０はフロアカーペット７０上に残したままとして、フロアマット本体６０のみを交換する。すなわち、フロアマット本体６０を取付ける時には、予めフロアカーペット７０上に固定されたネーム５０のネームプレート５１を立てて、フロアマット本体６０の窪溝部６２に形成した切欠部６３に挿通し、この際同時に、ネームベース５２上に突出した支持柱５３を窪溝部６２に穿設された係止孔６４に通す。これによって、フロアマット本体６０は、水平方向にずれないように係止される。続いて、ネームプレート５１をフロアマット本体６０上に倒す。それによって、ネームプレート５１とネームベース５２の連結部に設置したばね５４の弾性力によってフロアマット本体６０は挟持され、安定して固定される。取外しの操作は、取付けの操作と逆の手順で実施することができる。
【００５２】
このように、第1の実施形態では、ネーム１はフロアマット本体１０に取付けたままでフロアマットをフロアカーペット上に固定し、また固定解除するのに対して、本実施形態の構成では、フロアマット本体６０をネーム５０に対して取付け、取外しすることによって、フロアマットの、フロアカーペット７０上への固定、固定解除を行うようになっている。
【００５３】
以上説明した本実施形態のフロアマットにおいても、第1の実施形態と同様に、固定具がフロアマット本体６０上に露出したり、フロアマット本体６０上から突出したりすることがないので、意匠性、安全性に優れたものとすることができる。また、フロアマットの固定手段を構成するネーム５０は、フロアマット１０の、比較的中央寄りの位置に配置することができるので、取付け、取外しの操作性も良好である。
【００５４】
なお、本実施形態では、フロアマット本体６０を、ばね５４の弾性力によってネームプレート５１とネームベース５２の間に挟持する構成を示したが、ネームプレート５１をマジックファスナ、磁石等によってネームベース５２対して固定する構成としてもよい。また、後者の場合、ネームプレート５１とネームベース５２の連結部は、薄肉のヒンジによって構成してもよい。
【００５５】
また、本実施形態では、ネームベース５２に形成された係合ピン５５をはとめ７１に係合させてネーム５０を固定する構成をしめしたが、第１の実施形態と同様の、図４に示すような取付け具４５を用いてネーム５０を固定する構成としてもよい。すなわち、この場合、ネーム５０には、係合ピン５５の代わりに孔を形成し、この孔に係合突起４６ａ，４６ｂを係合させて、ネーム５０を固定する。
【００５６】
あるいは、図８に示すように、フロアパネル７５にスタッドボルト７６を立て、これをフロアカーペット７０のはとめ７１を通って、ネーム５０に係合させる構成としてもよい。この場合、ネームベース５２’には、係合ピン５５の代わりに、スタッドボルト７６に係合する係止部５５’を形成する。
【００５７】
また、他の変形例のネーム５０’を図９に示す。図９（ａ）はこの変形例のネーム５０’の斜視図であり、図９（ｂ）は、閉じた状態の部分側面図である。
【００５８】
このネームプレート５０’では、支持柱５３’がネームプレート５１’から下方に突出して設けられている。支持柱５３’の先端部５３ａは、先細になっており、その断面形状は矩形状になっている。ネームベース５２’には、この支持柱５３’の先端部５３ａが通る貫通孔５２ｂが形成されている。貫通孔５２ｂは、支持柱５３’の先端部５３ａは通るが、円柱状の根元側の部分は通らない大きさ、形状になっている。したがって、ネームプレート５１’は、支持柱５３’の、円柱状の部分の先端面がネームベース５２’に当接した状態以上には閉じず、それによって、ネームベース５２’に平行になる位置で保持される。
【００５９】
図９（ｂ）に示すように、ネームプレート５１’を閉じた状態で、支持柱５３’の先端部５３ａは、貫通孔５２ｂを通ってネームベース５２’の下方に延び、係合ピン５５の、弾性変形可能な２つの部分の間に位置するようになっている。
【００６０】
この構成では、ネーム５０’をフロアカーペット７０上に取り付ける際には、ネームプレート５１’を開いた状態にしておく。これによって、係合ピン５５は、はとめ７１に挿入した際に２つの部分が一旦内側に弾性変形し、スムースに取り付けることができる。取り付けた後、ネームプレート５１’を閉じると、係合ピン５５の、２つの部分の間に位置する、支持柱５３’の先端部５３ａによって、係合ピン５５の弾性変形が妨げられ、それによって容易には外れなくなる。この際、支持柱５３’の先端部５３ａが、係合ピン５５の２つの部分の、互いに対面する内側の面に当接して、２つの部分が外側、すなわち互いに離れる側に少し弾性変形するようにしてもよい。それによって、ネーム５０’をより安定して固定することが可能となる。
【００６１】
一方、ネーム５０’を取り外す際には、ネームプレート５１’を開く。それによって、係合ピン５５の２つの部分は、内側に弾性変形しやすい状態となる。そこで、例えば、係合ピン５５をはとめ７１から引き抜く方向に力を加えることによって、係合ピン５５の２つの部分が一旦内側に弾性変形して、容易に外れるようにすることができる。
【図面の簡単な説明】
【００６２】
【図１】本発明の第１の実施形態のフロアマットの、フロアカーペット上への固定部の分解斜視図である。
【図２】図１のネーム本体の平面図および側面図である。
【図３】図１のベースプレートの平面図および側面図である。
【図４】第１の実施形態の変形例において、ネーム本体を固定するのに用いられる取付け具の斜視図である。
【図５】本発明の第２の実施形態のフロアマットに取付けられるネームプレートの模式図であり、図５（ａ）はネームプレートとフロアカーペットの係合部を示す斜視図、図５（ｂ）はネームプレートとフロアマットの係合部を示す斜視図である。
【図６】図５のネームプレートを用いて、フロアマット６０をフロアカーペット７０上に取付けた状態を示す断面図である。
【図７】図５のネームプレートのネームベースを示す平面図および側面図である。
【図８】第２の実施形態の変形例におけるネームの取付け状態を示す断面図である。
【図９】第２の実施形態の他の変形例のネームの模式図であり、図９（ａ）は斜視図、図９（ｂ）はネームプレートを閉じた状態の、支持柱付近の側面図である。
【図１０】フロアマットをフロアカーペット上に取付ける、従来の固定方法を示す断面図である。
【符号の説明】
【００６３】
１    ネーム本体
１ａ    ネームプレート
１ｂ    ネームベース
３    ネーム表示部
４    係止部
５    突起部
６    円筒状突起
７    中空脚部
８    係止溝
１０    フロアマット本体
１１    窪溝部
１２    円形孔
１３    挿通孔
２０    ベースプレート
２１    かしめ孔
２２    係合孔
２３    係合溝
３０，４５    取付け具
３１    係合ピン
３２    係合部
３３    ベース部
４１    ねじ
４６    ベース部
４６ａ，４６ｂ    係合突起
４７    連結部
４８    固定部
４９    固定孔
５０，５０’    ネーム
５１，５１’    ネームプレート
５１ａ，５１ｂ，５２ａ    シャフト取付け部
５２，５２’    ネームベース
５３，５３’    支持柱
５３ａ    先端部
５４    ばね
５５    係合ピン
５５’    係止部
６０    フロアマット本体
６２    窪溝部
６３    切欠部
６４    係止孔
７０    フロアカーペット
７１    はとめ
７５    フロアパネル
７６    スタッドボルト
８０    取付け具
８１    フロアマット用係合具
８２ａ，８２ｂ    フロアカーペット用係合具
８５    フロアマット
８６    はとめ
８７    フロアカーペット
８８    係合孔
【図１】
2005162088.tif 000003
【図２】
2005162088.tif 000004
【図３】
2005162088.tif 000005
【図４】
2005162088.tif 000006
【図５】
2005162088.tif 000007
【図６】
2005162088.tif 000008
【図７】
2005162088.tif 000009
【図８】
2005162088.tif 000010
【図９】
2005162088.tif 000011
【図１０】
2005162088.tif 000012